(57)【要約】      （修正有）【課題】昨今の建築材需要の変化により活用されなくなった日本の里山に代表される杉やヒノキの人工林に欧米の自然林で育まれたツリーハウス文化を可能にして再開発、活性化を図る昇降式ツリーハウスおよび昇降式ベランダを提供する。【解決手段】昇降式ツリーハウス５および昇降式ベランダ８は、樹木１〜３の幹を心柱とし、ユニット化、又はモジュール化されたフレーム、フロアー、ルーフ、側壁を樹木の根本で八角形状に組み立て、日本の里山などで見られる杉やヒノキのような垂直に伸びた樹木１の上部に吊り上げ、固定して使用するもので、隣接する樹木２、３に同種もしくは異なったモジュール構築物６やベランダ８を設置して、構造物間に階段梯子７や吊り橋９を設置することにより樹木上の集合構築物となる。冬でも構造物上を緑葉４が生い茂り雪おろしや雪かきの必要がなくメンテナンスフリーの林間、樹木上の快適空間を提供できる。【選択図】図１
0003234216.tif 000002
【実用新案登録請求の範囲】
【請求項１】
日本の里山に代表される杉やヒノキの樹木上に設置されるツリーハウスやツリーベランダを安全に地上で組み立て、昇降機で吊り上げて固定する昇降式ツリーハウスおよびツリーベランダの考案
【請求項２】
請求項１を構築するためのユニット化、モジュール化考案
【考案の詳細な説明】
【技術分野】
【０００１】  本考案は従来見られなかった杉やヒノキのような枝の無い垂直に伸びた幹にツリーハウスおよびツリーベランダをユニット化モジュール化し、地上で組み立て完成品を吊り上げて樹木上で設置、固定する構造物の考案。
【技術背景】
【０００２】  従来、アウトドアー志向派の象徴でもあったツリーハウスは自然林の多い欧米で発達し個性的な樹木の分枝上にユニーク性を競って設置されたものが一般的でありモジュール化、ユニット化されたものは皆無であった。
【０００３】  日本では里山に代表される人の手が入った杉やヒノキの林が多く、欧米のような自然林におけるツリーハウスに適した樹木が少なく、又、建築木材として貴重な杉やヒノキの樹木にツリーハウスを設置することは皆無であった。しかしながら、昨今の国内における杉やヒノキの木材需要事情は大きく変り、南洋で育った十数年の樹木を合板にした建築材が流通して日本の杉やヒノキは人件費や物流事情から殆ど使用されなくなってしまった。使用されなくなった杉やヒノキは特に３０ｃｍを超す大木は伐採するのに費用が掛かり、伐採することもできずに荒れ果てて利用価値を見出せないのが現状である。
【先行技術文献】
【参考文献】
二見書房  アランロラン、ダニエル・デュフェール著  ツリーハウスで夢を見る
【特許文献】
特許公報  実登３０８４１６９折り畳み式のソフト・ツリーハウス
【考案の概要】
【考案が解決しようとする課題】
【０００４】  従来、日本の里山に見られる杉やヒノキの人工林はツリーハウスには適さず、ツリーハウス文化も希薄であった。又、従来のツリーハウスはそのユニーク性を競うことから公開された技術文献は乏しく特定の人によって狭い条件領域でのみで楽しまれていた。しかしながら、昨今の建築材料事情の変化により活用できなくなった里山樹林を再活用、再開発する手段として里山の杉やヒノキに適合する昇降式ユニットツリーハウスの考案によりこの課題を解決する。
【課題を解決するための手段】
【０００５】  本考案を達成するための手段として樹木上構造物を従来技術と同様に樹木の分枝上に配置するものではなく、枝の無い垂直に伸びた杉やヒノキを対象とした樹木の幹を芯柱としてモジュール化されたフレーム、フロアー、ルーフ、側壁を八角形状に組み立て樹木に固定することによって課題を解決した。又、構造物のサイズや重量を樹木の径や樹齢に合わせて分割軽量化されたユニットを地上で組み立て、枝の無い垂直に伸びた杉やヒノキの樹木に安全に取り付け、里山樹林に多様な用途のツリーハウスを設置することで荒れ果てた里山樹林の再活用、活性化が可能となった。
【考案の効果】
【０００６】  日本のあちこちに点在する里山や裏庭の杉やヒノキの樹林に本考案の昇降式ユニットツリーハウスがクレーンやその他の建築重機を使用しないで安全に設置することが可能となった。モジュール化、ユニット化が行われたことにより一般の人が安価、簡単かつ安全に設置しモジュールの選定によりサイズやデザイン、カラーを個人の嗜好に合わせて書斎やベランダその他、多目的で使用することが可能となった。ツリーハウス本来のユニーク性を失わずに杉やヒノキの林にツリーハウス村が出現し荒れ果てた日本の里山に新しいツリーハウス文化の到来を期待できる。【０００７】  豪雪地帯では杉や、ヒノキは針葉樹の特性でもある冬でも落葉しない枝葉が上部を覆いつくして豪雪から構造物（ツリーハウス）を守り、雪下ろしや雪かきを実施する必要もない。湿気のない樹木上では風通しの必要もなくメンナンスフリーの構造物としてテレワーク用のプライベート空間等、新しい試みの使用が可能となる。
【図面の簡単な説明】
【０００８】
【図１】本考案の実施の形態を示す全体図。
【図２】昇降式ツリーハウスのモジュール化図
【図３】昇降式ツリーハウスの地上設置及び吊り上げ図
【図４】昇降式ツリーハウスの樹木への固定方法図
【考案を実施するための形態】
【０００９】  対象となる樹木の樹齢、太さ、樹木間隔に見合ったモジュール（大きさ、重量）の設定を行い対象となる樹木の根元（地上）でユニット組付けを実施する。地上で組付けられた構造物（ツリーハウス）の上部をワイヤーで結び、樹木上部に設置された滑車を通して隣接する樹木に取り付けられた昇降機で任意の高さに吊り上げる。樹木上で吊り上げられたツリーハウスと樹木の間にできた隙間にクサビを挿入して樹木とツリーハウスを固定する。樹木に固定された後は樹木上でツリーハウスの内装、補助設備の取り付けを行う。
【実施例】
【００１０】  以下、添付図面に従って実施例を説明する。
図１は本考案の昇降式ユニットツリーハウス（標準モジュール）が他の異なったモジュールハウスおよび他の付属施設と合体した図を示す。
樹木１の上部に固定されたツリーハウス５およびバルコニー８は独立したツリーハウスを構成する。隣接する樹木２の上部に固定された、他のモジュール二階建てハウス６は梯子５、および吊り橋６を通じて隣接する樹木上に設置されたバルコニー８と往来が可能となり、樹木上の活動空間が大きく広がりレストランやスキー場の休憩所としても使用できる。又、樹木上部の生い茂った針葉樹の葉７が豪雪を防ぎ、夏は太陽の灼熱を防ぎ快適空間を提供してくれる。【００１１】  図２は昇降式ツリーハウスのモジュール化図でフレーム１１，フロアー１２、側壁１４、ルーフ１３からなる数種類のサイズ、形状の異なったモジュールで樹木のサイズ、樹木間の距離、高さ等を考慮して適合したモジュールユニットを選定し組み合わせる。各モジュールは８ユニットで樹木を芯柱として八角形状に組み立てることにより各モジュールどうしが引っ張り合い、モノコック構造が構築される。特にフロアーモジュール１２は剛性アップのためのかなめモジュールでツーバイフォー工材を強固な木工ボンドで張り合わせ、コースレットスクリューの効果的な配置により構築物を支える役割を果たしている。各モジュール間の組み立ては市販のコースレットスクリュー首下７５ｍｍおよび木工ボンドにより組み立てる。【００１２】  図３は昇降式ツリーハウスの吊り上げ図で、対象樹木２１の根元（地上）で組み立てられた昇降式ツリーハウス２０の上部にワイヤーロープ２５を結び、任意の高さに固定されたハンガーリング２３に取り付けられた滑車２４を返して隣接する立木２２に固定された昇降機（チェーンブロック等）２４で任意の高さに吊り上げることができる。【００１３】  図４は昇降式ツリーハウスの樹木上での固定方法図で、任意の高さに吊り上げられたツリーハウスはフロアー固定部３０ａ、フレーム固定部３０ｂ、側壁固定部３０ｃ、そしてルーフ固定部３０ｄの四か所をワイヤーロープ３２の両端に取り付けられたターンバックル３３で締め付ける。
樹木３５とフレーム３６の間の隙間にクサビ３４をそれぞれの固定部に４個ずつ計１６個を挿入することにより昇降式ツリーハウスと樹木が固定される。
樹木３５は樹木の成長と共に樹皮が固定部のクサビ３４を包み込み、樹木と構造物（ツリーハウス）の一体化が進み年月の経過とともに一層強固な安定化が可能となる。本考案の昇降式ツリーハウスはメンテナンスフリーで樹木の寿命と同じ耐用年数が期待できる。
【符号の説明】
【００１４】１      樹木
２      隣接する樹木
３      隣接する樹木
４      樹木上の枝や緑葉
５      昇降式ユニットツリーハウス
６      モジュールの異なる昇降式ツリーハウス
７      階段、梯子
８      昇降式ツリーベランダ
９      吊り橋
１１    フレームユニット
１２    フロアーユニット
１３    ルーフユニット
１４    側壁ユニット
２０    昇降式ユニットツリーハウス
２１    ハンガーバンド
２２    ワイヤーロープ
２３    昇降機（チェーンブロック）
２４    樹木（芯柱）
３０ａ  フレーム固定部
３０ｂ  フロアー固定部
３０ｃ  側壁固定部
３０ｄ  ルーフ固定部
３１    フレームサポート
３２    ワイヤーロープ
３３    ターンバックル
３４    クサビ
３５    樹木（芯柱）
３６    フレームユニット
【図１】
0003234216.tif 000003
【図２】
0003234216.tif 000004
【図３】
0003234216.tif 000005
【図４】
0003234216.tif 000006
【手続補正書】
【提出日】令和3年6月21日(2021.6.21)
【手続補正１】
【補正対象書類名】実用新案登録請求の範囲
【補正対象項目名】全文
【補正方法】変更
【補正の内容】
【実用新案登録請求の範囲】
【請求項１】
樹木の幹を心柱とし、ユニット化、又はモジュール化されたフレーム、フロアー、ルーフ、側壁を樹木の根元で八角形状に組み立て樹木に装着するとともに、ワイヤーで吊り上げて樹木上の任意の場所に固定する昇降式ツリーハウス。
【請求項２】
樹木の幹を心柱とし、ユニット化、又はモジュール化されたフレーム、フロアー、ルーフ、側壁を樹木の根元で八角形状に組み立て樹木に装着するとともに、ワイヤーで吊り上げて樹木上の任意の場所に固定する昇降式ツリーベランダ。